(57)【特許請求の範囲】
【請求項１】
多数の携帯型クレジットカード認証端末をパケット通信方式の公衆無線通信網によって中央データ処理センターに接続し、且つこの中央データ処理センターをカードビジネス総合ネットワークシステムを介して各クレジットカード会社のホストコンピュータにオンラインでアクセスさせることによって、前記携帯型クレジットカード認証端末でオンライン認証処理を行なえるようにしたクレジットカード認証システムにおいて、
前記中央データ処理センターは、
前記携帯型クレジットカード認証端末の情報と、加盟店の情報と、クレジットカード会社の情報と、取り扱い可能なクレジットカード会社への情報伝達の経路を定めたルーティング情報とを記録する記憶手段と、
前記携帯型クレジットカード認証端末から認証要求を受けたクレジットカードのルーティング情報を前記記憶手段から読み出すルーティング情報読み出し手段と、
前記携帯型クレジットカード認証端末から受信した、前記認証要求を受けたクレジットカードのカード情報を含むデータに、前記ルーティング情報読み出し手段で読み出した前記ルーティング情報を含ませて、前記クレジットカードの認証を要求するためのデータを生成するルーティング処理手段と、
前記ルーティング処理手段で生成した前記クレジットカードの認証を要求するためのデータを、前記各クレジットカード会社のホストコンピュータへ送信するクレジットカード認証要求手段と、
前記各クレジットカード会社のホストコンピュータから受信した前記クレジットカードの認証結果から前記クレジットカードが盗難カードであるか否かを判断する判断手段と、
前記判断手段が前記クレジットカードは盗難カードであると判断した場合に、前記認証結果を緊急連絡先に送信する緊急連絡手段と、
を有することを特徴とするクレジットカード認証システム。
【請求項２】
請求項１のクレジットカード認証システムにおいて用いられる中央データ処理センターであって、
前記携帯型クレジットカード認証端末の情報と、加盟店の情報と、クレジットカード会社の情報と、取り扱い可能なクレジットカード会社への情報伝達の経路を定めたルーティング情報とを記録する記憶手段と、
前記携帯型クレジットカード認証端末から認証要求を受けたクレジットカードのルーティング情報を前記記憶手段から読み出すルーティング情報読み出し手段と、
前記携帯型クレジットカード認証端末から受信した、前記認証要求を受けたクレジットカードのカード情報を含むデータに、前記ルーティング情報読み出し手段で読み出した前記ルーティング情報を含ませて、前記クレジットカードの認証を要求するためのデータを生成するルーティング処理手段と、
前記ルーティング処理手段で生成した前記クレジットカードの認証を要求するためのデータを、前記各クレジットカード会社のホストコンピュータへ送信するクレジットカード認証要求手段と、
前記各クレジットカード会社のホストコンピュータから受信した前記クレジットカードの認証結果から前記クレジットカードが盗難カードであるか否かを判断する判断手段と、
前記判断手段が前記クレジットカードは盗難カードであると判断した場合に、前記認証結果を緊急連絡先に送信する緊急連絡手段と、
を有することを特徴とする中央データ処理センター。
【請求項３】
請求項１のクレジットカード認証システムにおいて用いられる緊急連絡方法であって、
中央データ管理装置において、
前記携帯型クレジットカード認証端末の情報と、加盟店の情報と、クレジットカード会社の情報と、取り扱い可能なクレジットカード会社への情報伝達の経路を定めたルーティング情報とを記録するステップと、
前記携帯型クレジットカード認証端末から認証要求を受けたクレジットカードのルーティング情報を前記憶手段から読み出すステップと、
前記携帯型クレジットカード認証端末から受信した、前記認証要求を受けたクレジットカードのカード情報を含むデータに、前記ルーティング情報を含ませて、前記クレジットカードの認証を要求するためのデータを生成するステップと、
前記ルーティング処理手段で生成した前記クレジットカードの認証を要求するためのデータを、前記各クレジットカード会社のホストコンピュータへ送信するステップと、
前記各クレジットカード会社のホストコンピュータから受信した前記クレジットカードの認証結果から前記クレジットカードが盗難カードであるか否かを判断するステップと、
前記判断手段が前記クレジットカードは盗難カードであると判断した場合に、前記認証結果を緊急連絡先に送信するステップと、
を有することを特徴とする緊急連絡方法。
【発明の詳細な説明】
【０００１】
【発明の属する技術分野】
本発明は多数の携帯型クレジットカード認証端末（以下、必要に応じてＣＡＴと略記する）が公衆無線通信網によって接続された中央データ処理センターを、カードビジネス総合ネットワークシステムを介して各クレジットカード会社のホストコンピュータにアクセスさせるようにしたクレジットカード認証システムに関する。
【０００２】
【従来の技術】
クレジットカード加盟店とクレジットカード会社を接続し、クレジットカードの認証や売り上げ処理を迅速且つ安価に行なうカードビジネス総合ネットワークシステムは、エヌ・ティ・ティ・データ通信株式会社のＣＡＦＩＳが代表的なものである。各クレジットカード加盟店には１台又は複数台のＣＡＴが設置されており、各ＣＡＴは公衆有線電話網を介してＣＡＦＩＳの如きカードビジネス総合ネットワークシステムに接続されている。多数のＣＡＴを有するクレジットカード加盟店などの場合には、各ＣＡＴは当該クレジットカード加盟店の中央データ処理センターに専用通信ケーブルを介して接続され、このホストコンピュータがカードビジネス総合ネットワークシステムに接続されている。
【０００３】
クレジットカードの利便性は数万円以下の比較的少額の支払を迅速且つ簡単に行なえることである。この利便性に鑑みれば、クレジットカードはタクシー料金の支払には最適なものである。しかしながら、殆どのタクシーにはＣＡＴが設置されていないのが現状である。それでもタクシーでクレジットカードを使えるようにした認証システムは、いくつか提案されている。即ち、特許第２７３９０９４号公報に開示されたタクシーにおけるクレジットカード利用管理システム及びその運用方法の一部として、また特開平１０−１１１９６１号公報に開示されたタクシー料金精算装置の一部としてそれぞれ提案されているが、いずれもオンライン認証ができないという問題があった。
【０００４】
そこで、本発明の出願人は多数の携帯型クレジットカード認証端末をパケット通信方式の公衆無線通信網によって中央データ処理センターに接続し、且つこの中央データ処理センターをカードビジネス総合ネットワークシステムを介して各クレジットカード会社のホストコンピュータにオンラインでアクセスさせることによって、前記携帯型クレジットカード認証端末でオンライン認証処理を行なえるようにした低利用料金と高セキュリティのクレジットカード認証システムと、このシステムを利用してタクシーや配送車において簡単な操作でオンライン認証処理ができる携帯型クレジットカード認証端末を開発し、先に特許出願した（特願平１０−１８９６１８）。
【０００５】
前記特許出願に係るクレジットカード認証システムは携帯型クレジットカード認証端末と中央データ処理センターとの間はパケット通信方式の公衆通信網で接続されており、利用料金は接続時間でなく伝送される情報量に依存する。しかしながら、前記クレジットカード認証システムにおいては、伝送される情報量が未だ少なくない。
【０００６】
また、タクシーや配送車に搭載され、或いは訪問販売員に携帯されて使用される携帯型クレジットカード認証端末は、据置型認証端末に比べると盗難される可能性が高い。携帯型クレジットカード認証端末は、認証手続が終了した後には、当該認証手続に用いられたカード情報等のデータはその内蔵メモリから全て消去される。従って、殆どの場合には携帯型クレジットカード認証端末からカード情報を読み出すことはできない。しかしながら、認証手続中に電波が届かない領域に移動した場合には認証手続の途中のデータをホールドし、電波が届く領域に戻るまでこの状態を保持する。このように、処理途中のデータをホールドしたままの状態の携帯型クレジットカード認証端末からは、カード情報を読み出すことが可能である。それ故、携帯型クレジットカード認証端末からデータを不正に読み出され悪用される危険性がある。
【０００７】
更に、クレジットカード認証端末で盗難クレジットカードが使われるという犯罪行為が行われた場合に、カード会社からの認証結果情報を受信して当該認証端末を操作している店員等はこれを知ることになるが、警備会社や警察等への通報は危険を伴うので犯罪者をみすみす見逃さざるを得ない状況にある。
【０００８】
【発明が解決しようとする課題】
解決しようとする第１の課題は、無線通信網を用いたクレジットカード認証システムにおいて、通信費を更に減らすことである。
解決しようとする第２の課題は、無線通信網を用いたクレジットカード認証システムにおいて、携帯型クレジットカード認証端末が盗難された場合に、当該認証端末を使用不能にすることである。
【０００９】
解決しようとする第３の課題は、無線通信網を用いたクレジットカード認証システムにおいて、認証端末を操作している店員等に危険が及ばないようにして盗難クレジットカードの使用者を警察や警備保障会社等へ通報できるようにすることである。
【００１０】
【課題を解決するための手段】
前記第１の課題を解決するために、多数の携帯型クレジットカード認証端末をパケット通信方式の公衆無線通信網によって中央データ処理センターに接続し、且つこの中央データ処理センターをカードビジネス総合ネットワークシステムを介して各クレジットカード会社のホストコンピュータにオンラインでアクセスさせることによって、前記携帯型クレジットカード認証端末でオンライン認証処理を行なえるようにしたクレジットカード認証システムにおいて、前記中央データ処理センターにルーティング情報記憶手段を設け、ルーティング処理を行わせるようにした。
【００１１】
前記第１の課題を解決するために、上述の携帯型クレジットカード認証端末でオンライン認証処理を行なえるようにしたクレジットカード認証システムにおいて、前記中央データ処理センターに端末情報記憶手段を設け、端末情報を集中管理するようにした。
前記第２の課題を解決するために、上述の携帯型クレジットカード認証端末でオンライン認証処理を行なえるようにしたクレジットカード認証システムにおいて、前記中央データ処理センターに携帯型クレジットカード認証端末の盗難情報を記憶する手段と、認証手続の開始を要求してきた携帯型クレジットカード認証端末が盗難されたものか否かを判断し、盗難であると判断した場合にはメモリ消去信号を生成する手段とを設け、且つ前記携帯型クレジットカード認証端末には前記メモリ消去信号を受信してその内蔵メモリを使用不能にする手段を設けた。
【００１２】
前記第３の課題を解決するために、上述の携帯型クレジットカード認証端末でオンライン認証処理を行なえるようにしたクレジットカード認証システムにおいて、前記中央データ処理センターに盗難クレジットカード使用通報手段を設け、警察や警備保障会社に直ちに通報できるようにした。
【００１３】
【発明の実施の形態】
本発明に係る無線通信網を用いたクレジットカード認証システムの一実施例は、図１に示す如く、タクシーに搭載された携帯型クレジットカード認証端末１、無線中継局２、パケット交換局３、中央データ処理センター４、ＣＡＦＩＳの如きカードビジネス総合ネットワークシステム５、及びクレジットカード会社６を含むシステムである。
【００１４】
クレジットカード認証端末１はパケット通信用送受信手段を備えており、無線中継局２との間は無線伝送路８によって接続されている。無線中継局２とパケット交換局３との間、及びパケット交換局３と中央データ処理センター４との間はそれぞれ有線で接続されている。無線中継局２とパケット交換局３はパケット通信方式の公衆無線通信網の一部を構成するものである。このパケット通信方式の公衆無線通信網によって、多数の携帯型クレジットカード認証端末１が中央データ処理センター４に接続されている。
【００１５】
中央データ処理センター４はカードビジネス総合ネットワークシステム５を介して各クレジットカード会社６のホストコンピュータにオンラインでアクセスできるように、カードビジネス総合ネットワークシステム５に接続されている。中央データ処理センター４は、クレジットカード認証端末１の数及びデータ量等に対応した処理能力を有する主制御部（ＣＰＵ）４１とハードディスクの如きメモリ４２を有するもので、多数の携帯型クレジットカード認証端末１のホストコンピュータとして機能するものである。そしてメモリ４２には、端末情報記憶部４２ａ、加盟店情報記憶部４２ｂ、カード会社情報記憶部４２ｃ、取引情報記憶部４２ｄ、支払条件情報記憶部４２ｅ、ルーティング情報記憶部４２ｆが設けられている。
【００１６】
本発明に係る携帯型クレジットカード認証端末１は、例えば図２の如く、データの処理を行うマイクロプロセッサ１１、プログラムやデータを記憶するメモリ１２、要認証クレジットカードのカード情報を読み取るカード情報読取手段であるカードリーダー１３、タクシー料金や支払方法などの情報を入力するためのキーボード１４、パケット通信方式の公衆無線通信網と接続するためのパケット通信用送受信部１７、認証結果等の表示手段である表示器１５、領収書等の印刷を行なうプリンタ１６、及びこれらの構成要素に電力を供給する電池及び電源回路１８とで構成されている。メモリ１２にはカード情報記憶部１２ａ、認証結果情報記憶部１２ｂ及び各種設定情報記憶部１２ｃが設けられている。
【００１７】
ところで、従来のクレジットカード認証システムにおいて、クレジットカード加盟店等に設置された据置型クレジットカード認証端末７は、データの処理を行うマイクロプロセッサ７１、プログラムやデータを記憶するメモリ７２、要認証クレジットカードのカード情報を読み取るカード情報読取手段であるカードリーダー７３、利用料金や支払方法などの情報を入力するためのキーボード７４、認証結果等の表示手段である表示器７５、領収書等の印刷を行なうプリンタ７６、カードビジネス総合ネットワークシステム５との送受信部を含むインタフェイス部７７、及びこれらの構成要素に電力を供給する電源回路とで構成されている。メモリ７２にはカード情報記憶部７２ａ、認証結果情報記憶部７２ｂ、各種設定情報記憶部７２ｃ、端末情報記憶部７２ｄ、加盟店情報記憶部７２ｅ、カード会社情報記憶部７２ｆ、取引情報記憶部７２ｇ、支払条件情報記憶部７２ｈ及びルーティング情報記憶部７２ｉが少なくとも含まれている。
【００１８】
図３に示す従来のクレジットカード認証システムと比較すると明らかな如く、本発明に係るクレジットカード認証システムは、従来の据置型クレジットカード認証端末が記憶していた端末情報、加盟店情報、カード会社情報、取引情報、支払条件情報及びルーティング情報を中央データ処理センター４に記憶させるようにし、且つカード識別情報と認証結果情報は携帯型クレジットカード認証端末１に記憶させるように構成したことを特徴としている。このような構成による本発明の作用並びに効果は、以下に記述する通りである。
【００１９】
先ずルーティング処理について説明する。ルーティング処理とは、カード会社への情報伝達の経路即ちルートを定めたルーティング情報を、クレジットカード認証端末側からカードビジネス総合ネットワークシステム５への送信データに含ませる処理のことである。クレジットカードには、１社のみのサービスしか受けられないシングルカードは最近では殆ど見かけなくなり、ダブルカード或いはトリプルカードが主流である。ダブルカードは２社のサービスを受けられるもの、トリプルカードは３社のサービスを受けられるものである。このようなダブルカード或いはトリプルカードを利用した場合、認証並びに取引に関する情報はクレジットカードにマークが入っている２社或いは３社の全てに入力されるようになっている。この情報伝達のルートは、これら２社或いは３社の提携関係によって定められている。従来は、ルーティングの判断を据置型クレジットカード認証端末で行っていたので、加盟店解放などでルーティング情報に変化が生じるとカード会社から各認証端末にルーティング情報をダウンロードする必要があった。これに対して、本発明においては前記ルーティング情報は中央データ処理センター４のメモリに格納されて各認証端末にはダウンロードされないから、中央データ処理センター４からパケット通信方式の公衆無線通信網を介して携帯型クレジットカード認証端末１へ伝送される情報量がその分だけ減少した。
【００２０】
次に、カードビジネス総合ネットワークシステムへ送出される情報について述べる。認証端末側からカードビジネス総合ネットワークシステムを介してカード会社に伝送される送信データのフレームの一例は、図４に示す如く、カード情報、取引情報、端末情報、ルーティング情報から構成されている。図３の従来のクレジットカード認証システムにおいては、据置型認証端末７が図４のフレーム構成のデータを生成していた。即ち、据置型認証端末７のマイクロプロセッサ７１がプログラムに従って図４のデータを生成する処理を行っていた。これに対して本発明のパケット通信方式の公衆無線通信網を用いるクレジットカード認証システムにおいては、携帯型クレジットカード認証端末１でなく、中央データ処理センター４で図４のデータを生成しているのである。携帯型クレジットカード認証端末１で生成されるのは、図５に示す如きカード情報と取引情報から構成されたコンパクトなデータであり、このコンパクトなデータを中央データ処理センター４に送信する。そして、中央データ処理センター４において、主制御部４１がプログラムに従って、図５のデータに端末情報とルーティング情報図４のフレーム構成の送信データを生成するのである。このような送信データの生成方法を採用しているので、パケット通信方式の公衆無線通信網を介して携帯型クレジットカード認証端末１から中央データ処理センター４へ伝送される情報量が減少した。
【００２１】
次に、盗難クレジットカードが認証端末で使われた場合に、どのようにして、警察や警備保障会社等に通報するかについて述べる。本発明に係るクレジットカード認証システムは、携帯型クレジットカード認証端末１とカード会社６との間には、中央データ処理センター４が介在するものである。そして、認証手続が行われると、カード会社６からの認証結果情報は必ず中央データ処理センター４を経由して携帯型クレジットカード認証端末１に送られる。そこで、中央データ処理センター４においては、図６に示す如きフローに従って、認証結果情報をチェックする。即ち中央データ処理センター４はカード会社６からの認証結果情報を受信し（Ｓ１１）、その主制御部４１はプログラムに従って当該認証結果情報に盗難カードである旨の情報が含まれているか否か判断し（Ｓ１２）、盗難カードでなければ携帯型クレジットカード認証端末１に認証結果情報を送信する（Ｓ１３）。認証結果情報に盗難カードである旨の情報が含まれている場合には、これを表示し、或いは電話を用いて直ちに警察や警備保障会社等に通報する（Ｓ１４）。通報は、中央データ処理センター４の監視員が行ってもよいし、中央データ処理センター４を警察や警備保障会社等のコンピュータに直接接続して自動的に行ってもよい。このような処理を行う盗難カード使用通報手段４５を、中央データ処理センター４に設けたために、本発明にかかるクレジットカード認証システムは取引の安全性が高まった。
【００２２】
次に、携帯型クレジットカード認証端末１そのものが盗難された場合に、これが不正に使われないようになっていることを説明する。上述の如く、メモリ４２に端末情報記憶部４２ａを設け、中央データ処理センター４で端末情報を集中管理するように構成されている。携帯型クレジットカード認証端末１が盗難されたとの情報は、正当な使用者或いはその使用者である会社から直接或いは警察等を介して中央データ処理センター４に入力され、その情報が端末情報記憶部４２ａに格納される。携帯型クレジットカード認証端末１から認証手続の要求があった場合、図７に示す如きフローに従って、盗難認証端末か否かをチェックする。即ち中央データ処理センター４は携帯型クレジットカード認証端末１から認証手続の要求を受信し（Ｓ２１）、その主制御部４１はプログラムに従って受信データに含まれている認証端末番号を特定し、当該認証端末が盗難されたものか否かを端末情報記憶部４２ａを検索して判断し（Ｓ２２）、盗難認証端末でなければ認証手続のためにカードビジネス総合ネットワークシステム５に送出する送信データを生成する（Ｓ２３）。盗難認証端末であると判断したときは、主制御部４１はメモリ消去信号を発生し（Ｓ２４）、当該携帯型クレジットカード認証端末１に送信する（Ｓ２５）。当該携帯型クレジットカード認証端末１は、上記メモリ消去信号を受信すると、そのメモリ１２に記憶されている情報を消去し、認証端末そのものを使用不能にする。従って、盗難された携帯型クレジットカード認証端末１からはカード情報が読み出され、不正に利用されることがない。
【００２３】
【発明の効果】
本発明の無線通信網を用いたクレジットカード認証システムにおいて、中央データ処理センター４のメモリ４２に端末情報記憶部とルーティング情報記憶部等を設け各認証端末に共通な情報を集中管理するようにし、且つ、個々の携帯型クレジットカード認証端末１のメモリにはカード情報記憶部と認証結果情報記憶部と各種設定条件情報記憶部等の認証並びに取引手続に最小限必要な記憶部のみを設けてシステムを構成したので、携帯型クレジットカード認証端末のメモリ容量を減少できた。
【００２４】
本発明においてはルーティング情報は中央データ処理センター４のメモリに格納されて各認証端末にはダウンロードされないから、中央データ処理センター４からパケット通信方式の公衆無線通信網を介して携帯型クレジットカード認証端末１へ伝送される情報量がその分だけ減少し、通信費が節減できた。更に、各携帯型クレジットカード認証端末１から、パケット通信方式の公衆無線通信網を介して認証のために伝送されてくる情報はカード情報とその他必要最小限の情報のみであり、同様に取引のために送られてくる情報はカード情報と取引情報とその他必要最小限の情報のみであるから、いずれもコンパクトな情報であり、情報量が減少し、通信費が節減できた。
【００２５】
また、本発明の公衆無線通信網を用いたクレジットカード認証システムにおいては、中央データ処理センターに盗難クレジットカード使用通報手段を設けたので、認証端末を操作している店員等に危険が及ばないようにして盗難クレジットカードの使用者を警察や警備保障会社等へ安全且つ確実に通報できるようになった。従って、本発明に係るクレジットカード認証システムの安全性が高まった。
【００２６】
更に、本発明の公衆無線通信網を用いたクレジットカード認証システムにおいては、中央データ処理センターに携帯型クレジットカード認証端末の盗難情報を管理させ、携帯型クレジットカード認証端末が盗難されたものと判断した場合にはメモリ消去信号を生成させるようにし、且つ前記携帯型クレジットカード認証端末には前記メモリ消去信号を受信してその内蔵メモリを使用不能にしたので、携帯型クレジットカード認証端末が盗難されて、カード情報等の機密データが不正に読み出されることを確実に防止できるようになった。従って、本発明に係るクレジットカード認証システムの安全性と信頼性が高まった。
【図面の簡単な説明】
【図１】公衆無線通信網を用いたクレジットカード認証システムの一実施例の構成図である。
【図２】携帯型クレジットカード認証端末の一実施例の構成図である。
【図３】据置型クレジットカード認証端末並びに、この認証端末を含む従来のクレジットカード認証システムの構成図である。
【図４】認証端末側からカードビジネス総合ネットワークシステムを介してカード会社に伝送される送信データのフレーム構成の一例を示す図である。
【図５】携帯型クレジットカード認証端末から中央データ処理センターに伝送される送信データのフレーム構成の一例を示す図である。
【図６】盗難カードの使用を警察等へ通報する盗難カード使用通報手段の処理の流れを示すフローチャートである。
【図７】携帯型クレジットカード認証端末が盗難され、使用された場合に、当該認証端末を使用不能にする処理の流れを示すフローチャートである。
【符号の説明】
１    携帯型クレジットカード認証端末
２    無線中継局
３    パケット交換局
４    中央データ処理センター
５    カードビジネス総合ネットワークシステム
６    クレジットカード会社
７    据置型クレジットカード認証端末
８    無線伝送路
１１    マイクロプロセッサ
１２    メモリ
１２ａ  カード情報記憶部
１２ｂ  認証結果情報記憶部
１２ｃ  各種設定情報記憶部
１３    カードリーダー
１４    キーボード
１５    表示器
１６    プリンタ
１７    送受信部
１８    電池／電源回路
４１    主制御部
４２    メモリ
４２ａ  端末情報記憶部
４２ｂ  加盟店情報記憶部
４２ｃ  カード会社情報記憶部
４２ｄ  取引情報記憶部
４２ｅ  支払条件情報記憶部
４２ｆ  ルーティング情報記憶部
４３    第１インタフェイス部
４４    第２インタフェイス部
４５    盗難カード使用通報手段
７１    マイクロプロセッサ
７２    メモリ
７２ａ  カード情報記憶部
７２ｂ  認証結果情報記憶部
７２ｃ  各種設定情報記憶部
７２ｄ  端末情報記憶部
７２ｅ  加盟店情報記憶部
７２ｆ  カード会社情報記憶部
７２ｇ  取引情報記憶部
７２ｈ  支払条件情報記憶部
７２ｉ  ルーティング情報記憶部
７３    カードリーダー
７４    キーボード
７５    表示器
７６    プリンタ
７７    インタフェイス部
【図１】
0003709162.tif 000002
【図２】
0003709162.tif 000003
【図３】
0003709162.tif 000004
【図４】
0003709162.tif 000005
【図５】
0003709162.tif 000006
【図６】
0003709162.tif 000007
【図７】
0003709162.tif 000008